(57)【要約】通信装置（１０）内の呼設定プロセス（２８）が制御され、通信装置（１０）が、呼設定のユーザ・コマンド（２２）を受け取り、呼設定プロセス（２８）を開始し、呼がボイスメール・システム（１４）に達する可能性が高いと判定し、呼がボイスメール・システム（１４）に達する可能性が高いと判定することに応答して、呼設定プロセス（２８）を自動的に終了する。通信装置（１０）は、関連の特徴を含む。通信網（１２）は、着呼がボイスメール・システム（１４）に転送されるかどうかの判定をサポートしまたは実施するように適応される。本発明は、被呼者が自ら通話に応答しない場合のユーザ体験を向上させる。
2010532957.tif 000002
【特許請求の範囲】
【請求項１】
通信装置（１０）内の呼設定プロセス（２８）を制御するための方法であって、
前記通信装置（１０）が呼設定のユーザ・コマンド（２２）を受け取ること、
前記通信装置（１０）が前記呼設定プロセス（２８）を開始すること、
前記通信装置（１０）が、前記呼がボイスメール・システム（１４）に達する可能性が高いと判定すること、および
前記呼が前記ボイスメール・システム（１４）に達する可能性が高いと判定することに応答して前記通信装置（１０）が前記呼設定プロセス（２８）を自動的に終了することを含む方法。
【請求項２】
前記通信装置（１０）が、何らかの接続が確立される前に前記呼設定プロセス（２８）を自動的に終了する、請求項１に記載の方法。
【請求項３】
前記通信装置（１０）が呼転送通知（３２）を受け取る場合、前記通信装置（１０）が、前記呼がボイスメール・システム（１４）に達する可能性が高いと判定する、請求項１または２に記載の方法。
【請求項４】
前記通信装置（１０）が、前記通信装置（１０）によって実施された少なくとも１つのテスト（３４）を通過する呼転送通知（３２）を受け取る場合、前記通信装置（１０）が、前記呼がボイスメール・システム（１４）に達する可能性が高いと判定する、請求項１または２に記載の方法。
【請求項５】
前記少なくとも１つのテスト（３４）が、前記呼転送通知（３２）に示された呼転送タイプをチェックすることを含む、請求項４に記載の方法。
【請求項６】
前記少なくとも１つのテスト（３４）が、前記呼転送通知（３２）に含まれた呼転送宛先番号を解析することを含む、請求項４または５に記載の方法。
【請求項７】
前記解析が、前記呼転送宛先番号またはその一部がボイスメール・システム番号に対応するかどうかチェックすることを含む、請求項６に記載の方法。
【請求項８】
前記解析が、前記呼転送宛先番号が前記被呼加入者の番号、または前記被呼加入者の番号の一部を含むかどうかチェックすることを含む、請求項６または７に記載の方法。
【請求項９】
前記通信装置（１０）が、前記呼が所定の時間間隔内に接続されない場合はボイスメール・システム（１４）に達する可能性が高いと判定する、請求項１または２に記載の方法。
【請求項１０】
前記通信装置（１０）が、前記呼設定プロセス（２８）の終了について前記ユーザに通知する、請求項１乃至９のいずれか１項に記載の方法。
【請求項１１】
前記通信装置（１０）が、無線通信機能を有する移動装置である、請求項１乃至１０のいずれか１項に記載の方法。
【請求項１２】
前記無線通信機能が、ＧＳＭ通信機能および／またはＵＭＴＳ通信機能である、請求項１１に記載の方法。
【請求項１３】
請求項１乃至１２のいずれか１項の方法を実施するように適応される通信装置（１０）。
【請求項１４】
標準呼設定コマンド（２０）、および請求項１乃至１２のいずれか１項の方法に従って前記呼設定プロセス（２８）を開始する修正された呼設定コマンド（２２）を提供する、請求項１３に記載の通信装置（１０）。
【請求項１５】
通信装置（１０）から生じる呼がボイスメール・システム（１４）に転送されるかどうか判定する機能を実装する通信網（１２）であって、前記呼が前記ボイスメール・システム（１４）に転送されると判定することに応答して、
（ａ）何らかの接続が確立される前に前記呼を自動的に終了するステップ、および
（ｂ）前記通信装置（１０）が前記呼を終了し得るように、前記呼が前記ボイスメール・システム（１４）に転送されることを前記通信装置（１０）に知らせるステップのうちの少なくとも１つを実施するように構成される、通信網（１２）。
【発明の詳細な説明】
【技術分野】
【０００１】
本発明は、一般には、通信の技術分野に関する。詳細には、本発明は、通信装置および／または通信網内の呼設定プロセス制御の分野に関する。
【背景技術】
【０００２】
ボイスメール・システムは、現代の通信網では、至るところに存在するようになっている。たとえば、米国特許第４，３７１，７５２号には、今日のシステムへと発展した初期のボイスメール・システムが示されている。
【０００３】
一般的な日常生活に見られるように、多くのユーザは、ボイスメール・システムに達するとき、メッセージを残すことを望まない。一部の人々は、主義としてメッセージを全く残さない。他の人々は、メッセージを記録させることに不安を感じ、したがって、非常に差し迫った事態でない限り電話を切る。ボイスメール・システムの使用に概して満足している人々でさえ、ある状況においてはメッセージを残さないようにすることを望むことがある。
【０００４】
ボイスメール・システムに達する呼は一般に、発呼者がメッセージを残さない場合でも課金される。ボイスメール・システムが呼に応答したと認識するとき発呼者が数秒後に電話を切ったとしても、呼が接続されるとすぐに最低料金が課されることがよくある。さらに、多くの場合、メールボックスの所有者が自分の声を記録した挨拶メッセージがある。発呼者がこの挨拶メッセージを聞き、ボイスメール・システムが応答したにすぎないと認識するには、いくらかの時間がかかり得る。発呼者は、この時間の代金を支払う。これは、発呼者を苛立たせることがあり、ある通信サービスおよびネットワークを使用する魅力を減少させ得る。
【０００５】
したがって、ボイスメール・システムに関してよりよいユーザ経験を提供することが求められている。
【先行技術文献】
【特許文献】
【０００６】
【特許文献１】米国特許第４，３７１，７５２号
【非特許文献】
【０００７】
【非特許文献１】３ＧＰＰ  ＴＳ  ２４．０８２（「Ｃａｌｌ  Ｆｏｒｗａｒｄｉｎｇ  Ｓｕｐｐｌｅｍｅｎｔａｒｙ  Ｓｅｒｖｉｃｅ」）、バージョン６．０．０、欧州電気通信規格協会、Ｓｏｐｈｉａ  Ａｎｔｉｐｏｌｉｓ、仏国
【発明の概要】
【発明が解決しようとする課題】
【０００８】
本発明の一目的は、従来技術の諸問題の少なくとも一部を回避し、被呼者が通話に自ら応答しない場合のよりよいユーザ体験をもたらす技術を提供することである。
【課題を解決するための手段】
【０００９】
本発明は、独立クレームによって定義される。従属クレームは、本発明の一部の実施形態の任意選択の特徴に関する。
【００１０】
本発明は、被呼者が応対可能でない場合、発呼者がボイスメール・システムにメッセージを残さないことを前もって知っている場合が多いという洞察に基づく。したがって、本発明は、呼がボイスメール・システムに達する可能性が高いと判定される場合は呼設定プロセスが自動的に終了されるように呼設定プロセスを制御することを教示する。好ましくは、この終了は、何らかの接続が確立される前に行われ、したがって、ボイスメール・システムへの呼のどんな不必要な接続も回避される。呼の自動終了が遅すぎて接続の確立を回避できない場合でも呼はやはり、できるだけすぐに終了され、したがって接続時間が減少する。それによって、発呼者は、様々な種類の通信コスト、すなわち、接続料だけでなく、バッテリ電力（移動装置から発呼する場合）および時間をも節約する。
【００１１】
概して、本発明は、不必要で無駄な呼接続を回避するので、発呼者のユーザ体験を著しく向上させる。さらに、通信事業者側の初期のどんな料金損失も、サービスの魅力が増すことによってなされるもの以上となることが見込まれる。
【００１２】
本発明の一部の実施形態では、通信装置は、呼がボイスメール・システムに達する可能性が高いかどうか判定する。この判定は、必ずしも正確とは限らないかもしれないことが理解されよう。したがって、文言「可能性が高い」は、事前定義された１つの基準、または事前定義された２つ以上の基準が満たされることを意味することを意図しており、１つの基準／複数の基準は、ボイスメール・システムに達する呼には一般的なものである。
【００１３】
上記に言及されたように、呼がボイスメール・システムに達するかどうか正確に判定することは、少なくともこの判定が通信装置側で行われる場合は、しばしば不可能である。「偽陰性」判定の場合、すなわち呼が不意にボイスメール・システムに達する場合、不都合なことはほとんどない。次いで、ユーザは、単に呼を終了する。ユーザは、接続コストを払う必要があるが、しかし、本発明を使用しないことより悪くはならない。「偽陽性」判定は、呼が実際に被呼加入者に達する場合でも自動的に終了されることを意味するので、それほど望ましくない。偽陽性判定が、無視できるほどの確率以上で生じ得る実施形態では、ユーザは、重要な呼については、本発明の方法を使用すべきでない。
【００１４】
一部の実施形態では、呼がボイスメール・システムに達する可能性が高いと判定する基準は、通信装置がネットワークから、いずれかの種類の呼転送通知を受け取るということである。もちろん、この基準の使用は、ネットワークが少なくとも一部の状況において発呼装置に呼転送通知を出す場合にだけ実行可能である。一部の実施形態では代替案として、この基準は、単にタイムアウトのイベント、すなわち所定の時間間隔内に呼が接続されないということであり得る。
【００１５】
「偽陽性」判定の数を減らすために、一部の実施形態は、呼転送通知を受け取ることに応答して実施される少なくとも１つのさらなるテストを提供する。さらなるテストは、呼転送通知に示された呼転送タイプをチェックすること、および／または呼転送通知に含まれた呼転送宛先番号を解析することを含み得る。呼転送宛先番号が解析される実施形態では、解析は、呼転送宛先番号またはその一部がボイスメール・システム番号、および／または被呼加入者の番号、および／または被呼加入者の番号の一部に対応するかどうかチェックすることを含み得る。
【００１６】
多くの実施形態では、通信装置は、たとえばＧＳＭ通信機能および／またはＵＭＴＳ通信機能のような無線通信機能を有する移動装置である。
【００１７】
本発明は、通信装置をも含み、この通信装置は、一部の実施形態では、標準の呼設定コマンド、および修正された呼設定コマンドを提供し、後者が、本発明の呼設定プロセスを開始する。
【００１８】
本発明の別の態様は、着呼がボイスメール・システムに転送されるかどうかの判定をサポートし、または実施する通信網である。こうした判定がなされる場合、通信網は、発呼側通信装置に通知し、かつ／または何らかの接続が確立される前に呼を自動的に終了してもよい。この実施形態は、通信網が通常、任意の呼リダイレクションの宛先を非常に確実に決定する位置にあるという利点を有する。
【００１９】
本発明のさらなる特徴、目的および利点は、添付の図面に関連して以下の詳細な説明を詳しく読めば明らかになる。
【図面の簡単な説明】
【００２０】
【図１】本発明の一実施形態による呼設定プロセスのシーケンス図の例である。
【発明を実施するための形態】
【００２１】
図１は、通信網１２と通信するように適応された通信装置１０を示している。図１の実施形態では、通信装置１０は、たとえば無線通信機能を有する携帯電話またはモバイル・オーガナイザのような移動装置である。通信装置１０は、エア・インターフェースを介してネットワーク１２と通信する。たとえば、通信装置１０およびネットワーク１２は、よく知られているＧＳＭまたはＵＭＴＳ規格、あるいは他の無線通信規格を使用してもよい。
【００２２】
ネットワーク１２は、各加入者につき少なくとも１つのメールボックスを維持するボイスメール・システム１４を含む。他の実施形態では、ボイスメール・システム１４は、ネットワーク１２の外部にあるが、そこからアクセス可能であってもよい。加入者は、ネットワーク１２の呼転送サービスを登録しアクティブ化することによってメールボックスをアクティブ化してもよい。呼転送サービスは、加入者の番号に向けるべき着呼を加入者のメールボックスに転送させる。加入者は、複数の異なるタイプの呼転送サービス、たとえば無条件着信転送（ＣＦＵ：ｃａｌｌ  ｆｏｒｗａｒｄｉｎｇ  ｕｎｃｏｎｄｉｔｉｏｎａｌ）、モバイル加入者ビジー時転送（ＣＦＢ：ｃａｌｌ  ｆｏｒｗａｒｄｉｎｇ  ｏｎ  ｍｏｂｉｌｅ  ｓｕｂｓｃｒｉｂｅｒ  ｂｕｓｙ）、無応答時転送（ＣＦＮＲｙ：ｃａｌｌ  ｆｏｒｗａｒｄｉｎｇ  ｏｎ  ｎｏ  ｒｅｐｌｙ）およびモバイル加入者非到達時転送（ＣＦＮＲｃ：ｃａｌｌ  ｆｏｒｗａｒｄｉｎｇ  ｏｎ  ｍｏｂｉｌｅ  ｓｕｂｓｃｒｉｂｅｒ  ｎｏｔ  ｒｅａｃｈａｂｌｅ）のうちの１つを選んでもよい。
【００２３】
上述された呼転送サービス、および着呼をメールボックスに向けるためにそれを使用することは、よく知られている。たとえば、欧州電気通信規格協会、Ｓｏｐｈｉａ  Ａｎｔｉｐｏｌｉｓ、仏国から入手可能な規格文献３ＧＰＰ  ＴＳ  ２４．０８２（「Ｃａｌｌ  Ｆｏｒｗａｒｄｉｎｇ  Ｓｕｐｐｌｅｍｅｎｔａｒｙ  Ｓｅｒｖｉｃｅ：呼転送付加サービス」）、バージョン６．０．０は、ＧＳＭフェーズ２＋およびＵＭＴＳ方式との関連で呼転送操作を指定している。この文献は、呼が転送された発呼加入者が、対応する通知を受けることをユーザ（サービスされる加入者）が要求できることをも指定している。ＧＳＭおよびＵＭＴＳ方式では、この通知は、呼転送サービスのタイプを含むＮｏｔｉｆｙＳＳ操作の形で発呼加入者に送信される。
【００２４】
図１に示されたプロセスは、通信装置１０のユーザが加入者への呼を開始するとき始まる。以下の説明では、被呼加入者がボイスメール・システム１４内のメールボックスへの呼転送サービスを登録し、アクティブ化していると仮定する。さらに、ネットワーク１２が、発呼加入者が発呼の任意のリダイレクションについて通知を受けるように設定されると仮定する。前段落で言及されたように、この機能性は、ＧＳＭ／ＵＭＴＳ規格に指定される。通信装置１０がどんな呼転送をも検出することを可能にするネットワーク１２の他のプロトコル層または他の特徴もあってもよく、一部の実施形態で、これらの層または特徴が使用され得る。
【００２５】
呼を開始するために、ユーザは、通信装置１０のキーパッド１６で被呼加入者の電話番号をまず入力する。あるいは、ユーザは、通信装置１０に格納された連絡先リストから電話番号を選択してもよい。次いで、通信装置１０は、ディスプレイ１８上に、入力または選択された電話番号、および複数の可能なユーザ・コマンド２０、２２、２４を備えたメニューを示す。これらのユーザ・コマンドは、標準の呼設定コマンド２０、修正された呼設定コマンド２２、および保存番号コマンド２４を含む。
【００２６】
保存番号コマンド２４は、連絡先リスト内の表示された電話番号を格納するために使用される。標準の呼設定コマンド２０は、表示された番号を通常のやり方でダイヤルし、被呼加入者またはそのメールボックスへの接続を確立する。これは、従来技術では慣例的な通常の呼出しコマンドである。しかし、修正された呼設定コマンド２２は、本発明に特有のものである。下記により詳細に述べられるやり方で、修正された呼設定コマンド２２は、呼設定プロセスを開始するが、呼がボイスメール・システムに達する可能性が高いことの何らかの表示がある場合、何らかの接続が確立される前にプロセスを直ちに終了する。
【００２７】
図１に示され、上記に述べられた実施形態は、使用可能なユーザ・コマンド２０、２２、２４に対応するメニュー・アイテムを備えたメニューを使用する。しかし、一部の実施形態では、コマンド、具体的には修正された呼設定コマンド２２を入力する他のまたは追加の手段が提供され得る。たとえば、通信装置１０のユーザ・インターフェースは、ソフトキー、すなわちキーパッド１６の可変のファンクション・キーを提供してもよく、その現在の機能が、ソフトキーに隣接したディスプレイ１８のセクションに示されている。こうした実施形態では、修正された呼設定コマンド２２は、これらのソフトキーのうちの１つに、少なくとも一時的に割り当てられ得る。他の実施形態では、ソフトキーは、タッチセンサ式ディスプレイに実装することもできる。あるいは、またはさらに、通信装置１０は、そういうものとして知られている音声コマンド認識機能性を備えてもよい。音声コマンド認識機能性は、コマンドとして、たとえば修正された呼設定コマンド２２として、ユーザが発した特定の単語を認識する。
【００２８】
図１に示されたステップ２６は、メニュー選択によって、あるいは上記に論じられた他のコマンド・エントリ手段のいずれかによってユーザが、修正された呼設定コマンド２２を与えることを示している。次いで、通信装置１０は、呼設定プロセス２８を開始する。呼設定プロセス２８は、通信装置１０とネットワーク１２の間の様々な呼設定通信３０の交換によって開始する。呼設定プロセス２８のこの部分は、従来技術では慣例的であり、適用可能な規格、たとえばＧＳＭ／ＵＭＴＳ規格に定義されている。
【００２９】
上述されたように、図１のシーケンス例では、被呼加入者がメールボックスへの呼転送サービスをアクティブ化しており、呼が転送されるときはいつでも発呼側装置に呼転送通知を送信するようにネットワーク１２が設定されていると仮定する。したがって、ネットワーク１２は現在、ユーザの呼をボイスメール・システム１４に転送し、対応する呼転送通知３２を通信装置１０に送信する。
【００３０】
呼転送通知３２を受け取ると、通信装置１０は、呼が被呼加入者の別の固定線またはモバイル番号にではなく、メールボックスに転送される可能性が高いことを呼転送通知３２が示すかどうか判定するために、少なくとも１つのテスト３４を実施する。それぞれ異なる実施形態では、呼転送通知３２に含まれる情報および他の状況に応じて、様々な異なる種類のテスト３４が実施され得る。これらの可能性の一部について、下記に詳細に述べる。
【００３１】
テスト３４によって、呼転送の宛先が恐らくボイスメール・システム１４のメールボックスであることが分かる場合、これは図１のシーケンス例の場合と見なされるが、通信装置１０は、呼設定プロセス２８を終了し、対応する呼終了メッセージ３６をネットワーク１２に送信する。換言すると、通信装置１０は、直ちに「電話を切る」。これは、接続料がかからないように、好ましくは何らかの接続がなされる前に行われる。しかし、本発明は、呼転送通知３２が遅く受け取られ、呼がメールボックスに接続された後にしか終了されない場合でも、課金される接続時間が非常に短いので利点となる。
【００３２】
呼設定プロセス２８を終了した後、通信装置１０は、ステップ３８で、ユーザに通知する。このユーザ通知は、ディスプレイ１８に示された適切なメッセージを含んでもよい。次いで、ユーザは、後に再び電話をかけることができるように、呼がメールボックスに達する可能性が高いと判定されたことを知る。
【００３３】
上記に言及されたように、呼がボイスメール・システム１４に達する可能性が高いかどうか判定する様々な可能性がある。非常に単純な一実施形態では、ネットワーク１２からいずれかの呼転送通知３２を受け取ると、通信装置１０は呼設定プロセス２８を終了することになる。換言すると、追加のテスト３４は実施されない。この実施形態は、「偽陽性」結果を引き起こし得るが、しかし、それは、呼転送通知３２が追加の情報、または重要な追加の情報を含まないシステムでは依然として有用であり得る。
【００３４】
呼転送通知３２が、呼び出された呼転送サービスのタイプの表示を含む場合、この表示は、テスト３４内で使用され得る。たとえば、モバイル加入者ビジー時転送（ＣＦＢ）、無応答時転送（ＣＦＮＲｙ）およびモバイル加入者非到達時転送（ＣＦＮＲｃ）のタイプだけが、呼がボイスメール・システム１４に達する可能性が高いと判定され得る。したがって、通信装置１０は、受け取られた呼転送通知３２がこれらの呼転送タイプのうちの１つを示す場合にだけ、呼設定プロセス２８を終了する。通知３２が無条件着信転送（ＣＦＵ）サービスを示す場合、呼が被呼加入者の別の固定線またはモバイル番号に転送されると見なされ得る場合、呼設定プロセス２８は終了されない。
【００３５】
一部のシステムでは、呼転送通知３２が呼転送の宛先番号、すなわち転送された呼が向けられる番号を示すことも可能である。次いで、通信装置１０は、テスト３４において、呼転送宛先番号がボイスメール・システム１４内のメールボックスを示すかどうか解析することができる。詳細は、特定の通信事業者またはサービス・プロバイダによって決まることがあり、それぞれ異なる通信事業者またはサービス・プロバイダについて、それぞれ異なるテスト３４が実施され得る。
【００３６】
たとえば、一部のネットワーク１４では、メールボックス番号は、通信事業者プレフィックス、ボイスメール・システム番号、および被呼加入者の番号を含んでもよい。図１に示された被呼番号＋４９−１７７−１２３４５６７８を例にとると、対応するメールボックス番号は、＋４９−１７７−９９−１２３４５６７８を読み取り得る。次いで、通信装置１０は、テスト３４で、呼転送宛先番号がボイスメール・システム番号９９を含むかどうか、かつ／または呼転送宛先番号の終端部分が被呼側番号の終端部分と同じかどうかチェックすることができる。
【００３７】
さらなる実施形態では、テスト３４は、呼転送宛先番号が特定のボイスメール・システム番号を含む（またはそれからなるか）どうかのチェックを含んでもよい。この番号は、個々の通信事業者またはサービス・プロバイダに固有であるので、通信装置１０は、たとえばそれぞれの通信事業者プレフィックスを対応するボイスメール・システム番号に関連付けるルックアップ・テーブルを含み得る。上記の例では、ルックアップ・テーブルは、通信事業者プレフィックス１７７がボイスメール・システム番号９９に対応することを示してもよい。次いで、通信装置１０は、被呼番号から通信事業者プレフィックスを抽出し、関連する１つまたは複数のボイスメール・システム番号を決定し、受け取られた呼転送宛先番号３２に示された呼転送宛先番号が通信事業者のボイスメール・システム番号を含み、または（その１つ）からなるかどうかテストする。
【００３８】
ネットワーク１２は、呼転送が行われる場合でも、呼転送通知を発行せず、または確実には発行しないことも可能である。こうしたネットワーク１２に適応された実施形態では、テスト３４は、呼転送通知３２が受け取られない場合でも実施される単純なタイムアウト・チェックであり得る。次いで、通信装置１０は、特定の時間間隔内に接続が確立されない場合は、呼設定プロセス２８を終了する。
【００３９】
前段落では、非協調型のネットワーク１２を想定しているが、ネットワーク１２は具体的に、本発明の機能性をサポートし、さらには実装するように適応されることも可能である。こうしたネットワーク１２は、着呼がボイスメール・システム１４に転送されるかどうか自動的に判定する。ボイスメール・システム１４への呼転送が検出されるとネットワーク１２は、それに応じて通信装置１０に通知する。ネットワーク１２がその内部への完全なアクセスを有するので、ネットワーク１２によって出されたどんな「メールボックスに転送された呼」通知も通常信頼できるものであり、通信装置１０は、どんな追加のテストをも実施せずに呼を直ちに終了することができる。さらなる実施形態では、呼設定通信３０の間、修正された呼設定コマンド２２をユーザが選択したことがネットワーク１２に通知されるならば、ネットワーク１２は、メールボックスに転送されたどんな呼をも自動的に終了するように構成され得る。
【００４０】
上述された様々な実施形態の適用可能性および利点は、ネットワーク１２のタイプおよび機能性、具体的には呼転送通知を出すことに関するネットワーク１２の設定に依存する。したがって、一部の実施形態では、発呼がボイスメール・システム１４に達する可能性が高いかどうか判定するために複数の異なる戦略を通信装置１０に備えることも企図されている。次いで、使用される１つまたは複数の特定の戦略は、ネットワーク１４のタイプ、および／または通信事業者、および／またはサービス・プロバイダに応じて自動的に選択されても、ユーザによって手動で選択されてもよい。
【００４１】
実施形態例についての上記説明に含まれた詳細は、本発明の範囲の限定ではなく、その一部の実施形態を例示するものと解釈すべきである。多くのさらなる変形形態が可能であり、当業者にはすぐに明らかになる。具体的には、さらなる実施形態は、別個の実施形態に関連して上記に述べられた特徴の組合せを含み得ることが当業者には明らかであろう。したがって、本発明の範囲は、例示された諸実施形態ではなく、添付の特許請求の範囲およびその法的等価物によって定められるべきである。
【図１】
2010532957.tif 000003
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
通信装置（１０）内の呼設定プロセス（２８）を制御するための方法であって、前記通信装置（１０）がユーザ装置であり、前記方法が、
前記通信装置（１０）が呼設定のユーザ・コマンド（２２）を受け取ること、
前記通信装置（１０）が前記呼設定プロセス（２８）を開始すること、
前記通信装置（１０）が、前記呼がボイスメール・システム（１４）に達する可能性が高いと判定することであって、前記通信装置（１０）が、前記通信装置（１０）が呼転送通知（３２）を受け取る場合は前記呼がボイスメール・システム（１４）に達する可能性が高いと判定すること、および
前記呼が前記ボイスメール・システム（１４）に達する可能性が高いと判定することに応答して前記通信装置（１０）が前記呼設定プロセス（２８）を自動的に終了することを含む方法。
【請求項２】
前記通信装置（１０）が、何らかの接続が確立される前に前記呼設定プロセス（２８）を自動的に終了する、請求項１に記載の方法。
【請求項３】
通信装置（１０）内の呼設定プロセス（２８）を制御するための方法であって、前記通信装置（１０）がユーザ装置であり、前記方法が、
前記通信装置（１０）が呼設定のユーザ・コマンド（２２）を受け取ること、
前記通信装置（１０）が前記呼設定プロセス（２８）を開始すること、
前記通信装置（１０）が、前記呼がボイスメール・システム（１４）に達する可能性が高いと判定することであって、前記通信装置（１０）が、前記通信装置（１０）によって実施された少なくとも１つのテスト（３４）を通過する呼転送通知（３２）を受け取る場合、前記呼がボイスメール・システム（１４）に達する可能性が高いと判定すること、および
前記呼が前記ボイスメール・システム（１４）に達する可能性が高いと判定することに応答して、前記通信装置（１０）が前記呼設定プロセス（２８）を自動的に終了することを含む方法。
【請求項４】
前記通信装置（１０）が、何らかの接続が確立される前に前記呼設定プロセス（２８）を自動的に終了する、請求項３に記載の方法。
【請求項５】
前記少なくとも１つのテスト（３４）が、前記呼転送通知（３２）に示された呼転送タイプをチェックすることを含む、請求項３または４に記載の方法。
【請求項６】
前記少なくとも１つのテスト（３４）が、前記呼転送通知（３２）に含まれた呼転送宛先番号を解析することを含む、請求項３乃至５のいずれか１項に記載の方法。
【請求項７】
前記解析が、前記呼転送宛先番号またはその一部がボイスメール・システム番号に対応するかどうかチェックすることを含む、請求項６に記載の方法。
【請求項８】
前記解析が、前記呼転送宛先番号が前記被呼加入者の番号、または前記被呼加入者の番号の一部を含むかどうかチェックすることを含む、請求項６または７に記載の方法。
【請求項９】
前記通信装置（１０）が、前記呼設定プロセス（２８）の終了について前記ユーザに通知する、請求項１乃至８のいずれか１項に記載の方法。
【請求項１０】
前記通信装置（１０）が、無線通信機能を有する移動装置である、請求項１乃至９のいずれか１項に記載の方法。
【請求項１１】
前記無線通信機能が、ＧＳＭ通信機能および／またはＵＭＴＳ通信機能である、請求項１０に記載の方法。
【請求項１２】
請求項１乃至１１のいずれか１項の方法を実施するように適応される通信装置（１０）。
【請求項１３】
標準呼設定コマンド（２０）、および請求項１乃至１１のいずれか１項の方法に従って前記呼設定プロセス（２８）を開始する修正された呼設定コマンド（２２）を提供する、請求項１２に記載の通信装置（１０）。
【国際調査報告】
2010532957.tif 000004
2010532957.tif 000005